(57)【要約】【課題】  マグネットを設けたホルダーを、磁性体の面、タイル面、ガラス面、木質系の壁面、コンクリート系の壁面、プラスチック製家具の側面等非磁性体の面にも貼って剥がせるホルダーに設けたマグネットに吸着させる係止具を提供する。【解決手段】  ホルダー本体（２）と、このホルダー本体（２）に設けたマグネッ（３）と、ホルダー本体（２）と一体に成形された可撓性舌片(５)の片面に接着された両面接着シート(６)と、壁面から剥離するための可撓性舌片(５)との間に隙間(４ａ)を設け、可撓性舌片(５)に切欠部(５ａ)を複数設けた構造の係止具。【選択図】  図１
2006130168.tif 000002
【特許請求の範囲】
【請求項１】
ホルダー本体（２）と、このホルダー本体（２）に設けたマグネット（３）と、前記ホルダー本体（２）と壁面から剥離するために一体に設けた可撓性舌片(５)の片面に接着された粘着シート(６)の構成からなる係止具。
【請求項２】
係止具(１)を壁面から剥離するとき、ホルダー本体（２）と可撓性舌片(５)の間に楔形の隙間(４ａ)を設けた請求項１記載の係止具。
【請求項３】
係止具(１)を壁面から剥離するとき、可撓性舌片(５)のホルダー本体(２)側の面に切欠部(５ａ)を複数設けた請求項１請求項２記載の係止具。
【発明の詳細な説明】
【技術分野】
【０００１】
本発明は、各種類の壁面に粘着し、鉄部を有する物を係止するマグネット係止具に関する。
【背景技術】
【０００２】
従来のマグネットは、その使用の際、マグネットで保持するための磁性体たとえば冷蔵庫のドア等、スチール製の保持部材に紙片等を置いて、その上からマグネットの磁力で紙片をマグネットとドア等の保持部材との間に磁着挟持する使い方が主であった。
たとえば、機能を、付加した、粘着面付きマグネットが提案されている（特許文献１）。
この粘着面付きマグネットは、円滑塗装鉄板等の立面に吸着保持する際に、粘着面で滑りを防止し、書類、小物等の落下を防ぐ目的の粘着剤の使用である。
同様に接着剤層或いは粘着剤層の表面に剥離紙が被覆されている面状磁石体が提案されている(特許文献２)。
この面状磁石体は、スチールパネルやスチール家具にホワイトボードや額縁といった少し重量のあるものを磁石で係止させる目的のものである。
【特許文献１】特開２００２−１６４２０９号公報
【特許文献２】特開２００４−１７３７５７号公報
【発明の開示】
【発明が解決しようとする課題】
【０００３】
従来、一般的に使用されているボタン型マグネットには、次のような欠点があった。
（イ）冷蔵庫のドアやスチール家具、ホワイトボード等磁性体には使えるが、タイル、ガラス、木製、壁クロス等々他の壁面には使用できなかった。
（ロ）係止できる物は、磁力が透過する紙片や薄いものに限られていた。
（ハ）マグネット用取付け座があるが、壁面から剥離するとき剥がし難く、壁面に傷を付けることがあり、また取付け座の場所を変えることは簡単にできなかった。
本発明はこれらの欠点を解決したもので、係止具を壁に貼ってマグネット部に鉄部を有する物を吸着させる構造である。
【課題を解決するための手段】
【０００４】
本発明は、非磁性体で形成されたホルダー本体２に設けたマグネット３と、このホルダー本体２は可撓性舌片５と一体に形成され、ホルダー本体２と可撓性舌片５の間に楔形の隙間４ａを設け、一体形成された可撓性舌片５に両面粘着シート６の片面６ａ面は強い接着剤で強固に接着し、他方６ｂ面は反復使用可能なウレタンエラストマーを粘着剤とし、表面には離型紙７が被覆されている構成である。
上記、マグネット係止具１を壁面に粘着使用し、貼った場所を変えたいとき、ホルダー本体２と可撓性舌片５の間に楔形の隙間４ａが形成されているので、可撓性舌片５が撓る余地があり撓ることで僅かの湾曲ができることを利用して除々に剥がすことができる。
本発明は以上のような構成よりなり、従来のマグネット使用法とは異なる活用を提案した壁面に貼って剥がせるマグネット係止具である。
【発明の効果】
【０００５】
本発明のマグネット係止具を使用すると、磁性体の面、タイル面、ガラス面、木質系の壁面、コンクリート系の壁面、プラスチック製家具の側面等々非磁性体の面にも貼付けられ、広範囲の面に貼り付けて使用できる係止具である。
又、一度貼った場所を変えたいときは容易に剥がすことができて、再度貼って使用することが出来る。
壁面の粘着力と磁石の吸着力の範囲において、紙片をクリップした鉄製のクリップを吸着係止できるほか、金物文具、はさみ、ペーパーナイフ、カッター、ドライバー、ピンセット、キーホルダー、爪切り等々、鉄片部分を有する軽量小物を係止整理できる。
更に、鉄片を小物に接着し、その鉄片部分をマグネットに近づけると吸着係止できる。
【発明を実施するための最良の形態】
【０００６】
以下、図１から図３を参照して、本発明の第一の実施例について説明する。
図１に示すマグネット係止具１は、非磁性体で形成された適宜な合成樹脂、たとえば、プラスチック樹脂を成形材料として一体成形されたホルダー本体２と、このホルダー本体２に設けたマグネット３と壁面に貼り付けたマグネット係止具１を、別の場所に貼り変えたいとき、図３に示すように剥離を容易にするためにホルダー本体２と可撓性舌片５の間に楔形の隙間４ａを設け、可撓性舌片５に切欠部５ａを設けた一体成形構造にしている。
ホルダー本体２とマグネット３の全体を覆うように合成樹脂でコーティングしても良いし、カラー塗装しても良い。
又、プラスチック樹脂自体に色を付けてカラフルな、楽しい装飾マグネット係止具としても良い。
ホルダー本体２と可撓性舌片５は、一体成形しているが適宜な合成樹脂シートとホルダー本体２を接着しても良い。
【０００７】
図２に示すようにホルダー本体２は円形に形成しているがこれに拘るのもではなく、たとえば花びらの形、木の葉の形、動物の形、或いは絵を施しても良いが、ホルダー２に設けたマグネット３が鉄片を吸着することを妨げない様にする必要がある。
【０００８】
本発明の第一実施例の詳細説明をする。
図１はマグネット係止具１の側面図であり、この第一の実施例に置いてはホルダー本体２の側面は略楕円形で、可撓性舌片５の厚さも含んで略７ｍｍ、図２は正面図を示し、ホルダー本体２は円形略φ３２ｍｍ、マグネット３は直径φ５ｍｍ、高さ５ｍｍのネオジウム磁石を設けている。
【０００９】
可撓性舌片５は、この第一の実施例に置いては上下対称に略楕円形に形成されていて、ホルダー本体２と一体成形され可撓性舌片５は羽の様に本体中央部から対称に両端が突き出ていて、ホルダー本体部を含めてその両端間の長さは５０ｍｍ、本体中央部の幅１８ｍｍ、本体と当接するまでの厚さ１．２ｍｍである。
両面粘着シート６は、厚さ１．２ｍｍ、長さ３０ｍｍ、幅１６ｍｍの長方形であり、図１に示すように片面６ａ面は、ホルダー本体２に粘着剤で強固に接着し、他方６ｂ面は反復使用可能なウレタンエラストマー粘着剤で、表面には離型紙７が被覆されている。
【００１０】
図３は図２のＡ―Ａ断面図であり、マグネット３の吸着面はホルダー表面と同一である。
又可撓性舌片５の両先端部は両面粘着シートが貼られていないので、壁面との間に隙間４ｂができて、貼る場所を変更したい場合、この隙間に手の指を入れて壁面Ｗから浮かし、可撓性舌片５を指で掴み湾曲させながら除々に剥がすことができる。
剥がし終え１〜２分で、剥がすとき僅かに湾曲した粘着部分は復元力が働きほぼ平に復元しており、次の貼りたい場所に貼り付けることができる。
要は剥がすとき小さな力で僅かに湾曲させながら粘着部分を少しずつ剥がし、壁面に傷を付けない為に、無理なくゆっくりと剥がす、その為に可撓性舌片５の撓り代として楔形の隙間４ａを設け、可撓性舌片５に切欠部５ａを設けた構造にしてある。
【００１１】
本発明は、以上のような構造で、マグネット係止具１を使用すると、磁性体の面、タイル面、ガラス面、木質系の壁面、コンクリート系の壁面、プラスチック製家具の側面等々非磁性体の面にも貼付けられ、広範囲の面に貼り付けられ、マグネット３の吸着力を活用して物を係止できる。
以下これを使用して物を係止する場合の説明をする、貼って剥がせ反復使用可能なウレタンエラストマー粘着剤を被覆している剥離紙を剥がして、任意の壁面にマグネット係止具１を貼付け、たとえば図１３に示すように紙片、伝票Ｐ、書類数枚〜１０数枚を鉄製のクリップでクリップして鉄部をマグネット３に近づけると磁力で吸着され係止できる。
同様に未整理の領収書を鉄製のクリップでクリップして鉄部をマグネット３に近づけると磁力で吸着され係止できる。
【００１２】
同様に図１４に示すようにペーパーナイフの鉄部をマグネット３に近づけると磁力で吸着され係止できる。
【００１３】
同様に図１５に示すように鉄製のくさりのついたキーホルダーの鉄部をマグネット３に近づけると磁力で吸着され係止できる。
【００１４】
同様に図１６に示すように鉄片を接着剤で貼った球花器に造花４０ａを活け、短冊４０ｂを貼りつけた花器セットの鉄片部をマグネット３に近づけると磁力で吸着され係止できる。
【００１５】
同様に図１７に示すように鉄製網ポケット５０の鉄部をマグネット３に近づけると磁力で吸着され係止できる。
【００１６】
同様に図１８に示すように鉄製器物保持具６０と一体に形成された器物保持バンド６０ｂで確り保持されたビーカー型一輪挿し６０ａに花一輪を活けて、鉄製器物保持具６０の鉄部をマグネット３に近づけると磁力で吸着され係止できる。
【００１７】
同様に図１９に示すように鉄片を接着したプラスチック製のポケット７０の鉄部をマグネット３に近づけると磁力で吸着され係止できる。
【００１８】
本発明は、壁面等保持部材には粘着力を用い、マグネット３は鉄部を有する器物を吸着係止させる機能に用い従来のマグネット使用法を逆に活用したマグネット係止具である。
【実施例１】
【００１９】
つぎに、図４から図６を参照して、本発明の第三の実施例について説明する。
図４に示すマグネット係止具１は、非磁性体で形成された適宜な合成樹脂、たとえば、プラスチック樹脂を成形材料として一体成形されたホルダー本体２と、このホルダー本体２に設けたマグネット３と壁面に貼り付けたマグネット係止具１を、別の場所に貼り変えたいとき、図６に示すように剥離を容易にするためにホルダー本体２と可撓性舌片５の間に楔形の隙間４ａを設け、可撓性舌片５に切欠部５ａを設けた一体成形構造にしている。
ホルダー本体２とマグネット３の全体を覆うように合成樹脂でコーティングしても良いし、カラー塗装しても良い。
又、プラスチック樹脂自体に色を付けてカラフルな、楽しい装飾マグネット係止具としても良い。
【００２０】
図５に示すようにホルダー本体２にマグネット３を設けた部分は円形に成形しているがこれに拘るのもではなく、たとえばさくらの花びらの形、木の葉の形、動物の形等任意の形に成形できるが、ホルダー本体２に設けたマグネット３が鉄片を吸着することを妨げない様にする必要がある。
【００２１】
本発明の第二の実施例は、ホルダー本体２が変形レの字形に成形されて、壁面Ｗに粘着されるためマグネット３に係止された物の重量の作用点が下に移動し壁面に沿って下方に引っ張る力のはたらきとなり、剥がす力のモーメントが小さくなり安定的に係止できる。
【００２２】
本発明の第二の実施するための詳細説明をする。
図４はマグネット係止具１の側面図であり、この第二の実施例に置いてはホルダー本体２の側面は変形レの字形で、可撓性舌片５の厚さは、楔形の隙間も含んで略８．５ｍｍ、全長４５ｍｍ、図５は正面図を示し、ホルダー本体２のマグネット保持部は円形略φ１８ｍｍ、マグネット３は直径φ５ｍｍ、高さ５ｍｍのネオジウム磁石、可撓性舌片５はホルダー本体２と一体に成形され、この第二の実施例に置いては先端の角切り形成されていて厚さ１．２ｍｍ、長さ４５ｍｍ、幅２２ｍｍ。
【００２３】
図４、図５、図６に置いて、両面粘着シート６は長方形で幅２０ｍｍ、長さ３０ｍｍ、厚さ１．２ｍｍ、両面粘着シート６の片面６ａ面は、ホルダー本体２に、接着剤で強固に接着し、他方６ｂ面は反復使用可能なウレタンエラストマー粘着剤で、表面には離型紙７が被覆されている。
【００２４】
図６は図５のＡ―Ａ断面図であり、マグネット３の吸着面はホルダー表面と同一である。
この第二の実施例の場合上に可撓性舌片５があり、ホルダー本体２との間に楔形の隙間４ａを設けているので可撓性舌片５の撓り代があり、又可撓性舌片５に切欠部５ａを複数設けている。
先端部は両面粘着シートが貼られていないので、壁面との間に隙間４ｂができて、貼る場所を変更したい場合この隙間に手の指を入れて壁面Ｗから浮かし、可撓性舌片５を指で掴み湾曲させながら除々に剥がすことができる。
剥がし終え１〜２分で、剥がすとき僅かに湾曲した粘着部分は復元力が働きほぼ平に復元しており、次の貼りたい場所に貼り付けることができる。
要は剥がすとき小さな力で僅かに湾曲させながら粘着部分を少しずつ剥がし、壁面に傷を付けない為に、無理なくゆっくりと剥がす、その為に可撓性舌片５の撓り代、楔形の隙間４ａを設け、可撓性舌片５に切欠部５ａを設けた構造にしてある。
【実施例２】
【００２５】
つぎに、図７から図９を参照して、本発明の第三の実施例について説明する。
図７に示すマグネット係止具１は、非磁性体で形成された適宜な合成樹脂、たとえば、プラスチック樹脂を成形材料として一体成形されたホルダー本体２と、このホルダー本体２に設けたマグネット３と壁面に貼り付けたマグネット係止具１を、別の場所に貼り変えたいとき、図９に示すように剥離を容易にするためにホルダー本体２と可撓性舌片５の間に隙間４ａを設けて一体成形した構造にしている。
ホルダー本体２とマグネット３の全体を覆うように合成樹脂でコーティングしても良いし、カラー塗装しても良い。
又、プラスチック樹脂自体に色を付けてカラフルな、楽しい装飾マグネット係止具としても良い。
【００２６】
図８に示すようにホルダー本体２にマグネット３を設けた部分は円形に成形しているがこれに拘るのもではなく、たとえば四角形、長方形、花びらの形、木の葉の形、動物の形等任意の形に成形できるが、ホルダー本体２に設けたマグネット３が鉄片を吸着することを妨げない様にする必要がある。
【００２７】
本発明の第三の実施例について詳細説明をする。
図７はマグネット係止具１の側面図であり、この第三の実施例に置いてはホルダー本体２の側面は略トの字形で、可撓性舌片５の厚さも含んで略７ｍｍ、長さ４０ｍｍ、図８は正面図を示し、ホルダー２のマグネット保持部は円形略φ２０ｍｍ、マグネット３は直径φ５ｍｍ、高さ７ｍｍのネオジウム磁石、可撓性舌片５はこの第三の実施例に置いては変形トの字に一体成形され本体に当接するまでの厚さ１．２ｍｍ、全長さ４０ｍｍ、幅２２ｍｍ。両面粘着シート６は長方形で幅２０ｍｍ、長さ３０ｍｍ、厚さ１．２ｍｍ両面粘着シート６の片面６ａ面は、ホルダー本体２に、接着剤で強固に接着し、他方６ｂ面は反復使用可能なウレタンエラストマー粘着剤で、表面には離型紙７が被覆されている。
【００２８】
図９は図８のＡ―Ａ断面図であり、マグネット３の吸着面はホルダー表面と同一である。
図９に示すように壁面Ｗからの剥離を容易にするために、ホルダー本体２と壁面Ｗとの間は可撓性舌片５の先端部には両面粘着シートが接着されていないので、壁面との間に隙間４ｂができる。貼る場所を変更したい場合この隙間に手の指を入れて壁面Ｗから浮かし、可撓性舌片５を指で掴み除々に、ゆっくりと剥がして行く、要は剥がすとき小さな力で僅かに湾曲させながら粘着部分を少しずつ剥がし、壁面に傷を付けない為に、無理なくゆっくりと剥がすことが肝要であり、その為に可撓性舌片５の撓り代、楔形の隙間４ａを設け、可撓性舌片５に切欠部５ａを設けた構造にしてある。
本発明第三の実施例では、上に可撓性舌片５があるので上から剥がすことができる。
剥がし終え１〜２分で、剥がすとき僅かに湾曲した粘着部分が、弾性力でほぼ平面に復元しており、次の貼りたい位置に貼り付けることができる。
【実施例３】
【００２９】
つぎに、図１０から図１２を参照して、本発明の第四の実施例について説明する。
図１０に示すマグネット係止具１は、非磁性体で形成された適宜な合成樹脂、たとえば、プラスチック樹脂を成形材料として一体成形されたホルダー本体２と、このホルダー本体２に設けたマグネット３と壁面に貼り付けたマグネット係止具１を、別の場所に貼り変えたいとき、図１２に示すように、可撓性舌片５と壁面Ｗとの間の先端部は両面粘着シートが接着されていないので、壁面との間に隙間４ｂができ剥がしやす構造にしている。
尚本発明の第四の実施例では、ホルダー本体２にマグネット３を設けている部分が小さく可撓性舌片５の撓りに支障がないので、楔型の隙間を設ける必要のない例を示している。
ホルダー本体２とマグネット３の全体を覆うように合成樹脂でコーティングしても良いし、カラー塗装しても良い。
又、プラスチック樹脂自体に色を付けてカラフルな、楽しい装飾マグネット係止具としても良い。
【００３０】
本発明の第四の実施例について詳細説明する。
図１０はマグネット係止具１の側面図であり、本発明の第四の実施例に置いてはホルダー２の側面は変形トの字形で、可撓性舌片５の厚さも含んで略５．４ｍｍ、図１１は正面図を示し、ホルダー本体２のマグネット保持部はプレス成形で円形の内径略φ５ｍｍで、マグネット３の直径φ５ｍｍ、高さ５ｍｍのネオジウム磁石を埋設保持している。本体部は直径φ３２ｍｍ、厚さ０．４ｍｍ、可撓性舌片５と一体に成形されている。
【００３１】
可撓性舌片５は指でつまみやすい半楕円状で本体部の円形付け根の幅は１０ｍｍ突き出た長さ１０ｍｍ。
図１０で示す両面粘着シート６は円形で直径φ３２ｍｍ、厚さ１．２ｍｍ両面粘着シート６の片面６ａ面は、ホルダー２に、粘着剤で強固に接着し、他方６ｂ面は反復使用可能なウレタンエラストマー粘着剤で、表面には離型紙７が被覆されている。
【００３２】
図１１に示すようにホルダー本体２と可撓性舌片５と一体に成形された円形部はこれに拘るのもではなく、たとえば、花びらの形、木の葉の形、動物の形等任意の形に成形できる。
【００３３】
図１２は図１１のＡ―Ａ断面図であり、マグネット３の吸着面はホルダー本体２のシート面に被われているが厚さ０．４ｍｍであり吸着に問題ない磁力を有している。
図１２に示すように壁面Ｗからの剥離を容易にするために、ホルダー本体２と壁面Ｗとの間は可撓性舌片５の先端部には両面粘着シートが接着されていないので、壁面との間に隙間４ｂができる。
貼る場所を変更したい場合この隙間に手の指を入れて壁面Ｗから浮かし、可撓性舌片５を指で掴み除々に、ゆっくりと剥がして行く、要は剥がすとき小さな力で僅かに湾曲させながら粘着部分を少しずつ剥がし、壁面に傷を付けない為に、無理なくゆっくりと剥がすことが肝要であり、その為に可撓性舌片５が撓る厚さにしてある。
本発明の第四の実施例では上に可撓性舌片５があるので上から剥がすことができる。剥がし終え１〜２分で、剥がすとき僅かに湾曲した粘着部分が、弾性力でほぼ平面に復元しており、次の貼りたい場所に貼り付けることができる。
【００３４】
以上のように実施四例においては、磁性体は勿論のこと、非磁性体の壁面例えば、タイル、ガラス、プラスチック、木製板、壁紙、コンクリート面、木製家具の側面など、広い範囲に貼り付けて使用できる。
【００３５】
又、一度貼った場所を変えたいときは、前記の様に壁面から容易に剥がして再使用することが出来る。
壁面に、何度か貼り付けて、ゴミ等が付着し粘着力が落ちた場合、水で洗い乾かせば粘着力は回復する。
又、壁面の粘着力と磁石の吸着力の範囲内において、紙片をクリップした鉄製のクリップを吸着係止できるほか、はさみ、ペーパーナイフ、カッター、ドライバー、ピンセット、キーホルダー、爪切り等前記した以外にも、鉄片部分がある軽量小物を係止整理できる。
【００３６】
又、吸着係止したい小物に鉄片を設けることによって、たとえば、布製の人形や合成樹脂製のフィギアや、ミニチュアーの自動車、プラスチック製品等々、鉄片部分をマグネットに近づけ吸着係止できる。
詰まり本発明の係止具を使用すると、許容範囲において、磁性体の鉄片を設けた小物はすべて吸着する効果を奏する。
【００３７】
又、四事例を示しているが、これに限定されるものではなく、図２０に示すように、複数個のマグネットを設けて、小物金物を横一列に係止整理等ができる。
同様に、図２１に示すように、複数個のマグネットを設けて、袋物等を係止し分別整理に使用できる等応用範囲は広い。
又、各寸法も例示されたものに拘るものではなく、壁面の種類にもよるが、粘着力は粘着面積に比例するし、吸着形態に応じてマグネットの磁力と必要とする面の大きさの設計をすることで、適切なマグネットの種類を選択をすることで実用性を高めることができる。
又、事例のホルダーの材料も、合成樹脂に限らず、商品企画の問題であるが、製造コスト、販売価格政策によって鉄やステンレス等を選択使用することもできる。
同様に、腰があって可撓性があれば、布、不識布、紙等の材料を使用することも出来る。この材料の使用、寸法によっては、可撓性舌片５に切欠部５ａを設けなくても良い。
【００３８】
又、貼って剥がせ反復使用可能なウレタンエラストマー粘着剤を、両面粘着シートにスポンジ状の柔軟材を使うことによって、小さい凹凸面のある漆喰系の壁面にも適用できる。
又、反復使用可能なウレタンエラストマー粘着剤を、マグネット３の吸着面に塗布することで摩擦力を増し、吸着力と摩擦力でより安定して、物の係止ができる。
【００３９】
粘着力に差が生じるとしても、ほとんどの壁面に粘着可能で、鉄片を介してマグネットに近づけると吸着する着脱簡便な係止具は、生活上の便利品となる。
【図面の簡単な説明】
【００４０】
【図１】本発明第一実施例の側面図である。
【図２】本発明第一実施例の正面図である。
【図３】本発明第一実施例の図２のＡ−Ａ断面図である。
【図４】本発明第二実施例の側面図である。
【図５】本発明第二実施例の正面図である。
【図６】本発明第二実施例の図５のＡ−Ａ断面図である。
【図７】本発明第三実施例の側面図である。
【図８】本発明第三実施例の正面図である。
【図９】本発明第三実施例の図８のＡ−Ａ断面図である。
【図１０】本発明第四実施例の側面図である。
【図１１】本発明第四実施例の正面図である。
【図１２】本発明第四実施例の図１１のＡ−Ａ断面図である。
【図１３】本発明第一実施例の鉄製クリップで紙片をクリップして係止状態を示す側面図である。
【図１４】本発明第一実施例の鉄製ペーパーナイフの係止状態を示す側面図である。
【図１５】本発明第一実施例の鉄製輪とくさりの係止状態を示す側面図である。
【図１６】本発明第一実施例の鉄片を貼った球花器の係止状態を示す側面図である。
【図１７】本発明第一実施例の鉄製網ポケットの係止状態を示す側面図である。
【図１８】本発明第一実施例の鉄製器物保持具で一輪挿しを保持し係止している状態を示す側面図である。
【図１９】本発明第一実施例の鉄片を接着したプラスチック製ポケットの係止状態を示す側面図である。
【図２０】本発明の実施例で、鉄部を有する各種類の器物を係止している状態を示す正面図である。
【図２１】本発明の実施例で、鉄製口金付きポリ袋を吸着係止している状態を示す正面図である。
【符号の説明】
【００４１】
１；マグネット係止具
２；ホルダー
３；マグネット
４ａ；隙間ａ
４ｂ；隙間ｂ
５；可撓性舌片
５ａ；切欠部
６；両面粘着シート
６ａ；強固な接着
６ｂ；反復使用可能な粘着剤
７；剥離紙
Ｗ；壁面
Ｐ：紙片
【図１】
2006130168.tif 000003
【図２】
2006130168.tif 000004
【図３】
2006130168.tif 000005
【図４】
2006130168.tif 000006
【図５】
2006130168.tif 000007
【図６】
2006130168.tif 000008
【図７】
2006130168.tif 000009
【図８】
2006130168.tif 000010
【図９】
2006130168.tif 000011
【図１０】
2006130168.tif 000012
【図１１】
2006130168.tif 000013
【図１２】
2006130168.tif 000014
【図１３】
2006130168.tif 000015
【図１４】
2006130168.tif 000016
【図１５】
2006130168.tif 000017
【図１６】
2006130168.tif 000018
【図１７】
2006130168.tif 000019
【図１８】
2006130168.tif 000020
【図１９】
2006130168.tif 000021
【図２０】
2006130168.tif 000022
【図２１】
2006130168.tif 000023